(57)【特許請求の範囲】
【請求項１】
外壁面に取付けられる支持体の凹部に箱型トラップを収容し、流し本体を支持体の上に載置して流し本体底部の排水口を箱型トラップの上端開口に臨ませると共に、箱型トラップの後側壁の上部に形成された接続口に排水管を接続したことを特徴とする屋外用の流し。
【請求項２】
支持体の下に物入れを設けたことを特徴とする請求項１に記載の屋外用の流し。
【発明の詳細な説明】
【０００１】
【発明の属する技術分野】
本発明は、バルコニーなどの外壁面に設置される屋外用の流しに関する。
【０００２】
【従来の技術】
近年のガーデニングの流行に伴い、バルコニー等の外壁面に流しを設ける家屋が増えている。
【０００３】
そのような屋外用の一般的な流しは、図７に示すように、流し本体１００の底部の排水口１０１に排水管１０２を接続し、該排水管１０２の途中にＵ形トラップ管１０３を接続して下水管からの臭気の逆流を防止するようにしている。
【０００４】
【発明が解決しようとする課題】
しかしながら、上記の屋外用の流しには、ガーデニング等による泥水を流すことが多いため、Ｕ形トラップ管１０３に泥が詰まり易いという問題があり、泥が詰まっても簡単に掃除することができないという問題があった。
【０００５】
また、上記の流しは、流し本体１００の下側に排水管１０２やＵ形トラップ管１０３が接続、配管されているため、例えば、流し本体１００の下に物入れ等を設けても、排水管１０２やＵ形トラップ管１０３が邪魔になって、十分な収納スペースが得られないという問題もあった。
【０００６】
本発明は上記の問題に対処すべくなされたもので、その目的とするところは、泥詰まりがなく、トラップの掃除を簡単に行うことができ、下側に物入れを設けても十分な収容スペースが得られる屋外用の流しを提供することにある。
【０００７】
【課題を解決するための手段】
前記目的を達成するため、本発明の請求項１に係る屋外用の流しは、外壁面に取付けられる支持体の凹部に箱型トラップを収容し、流し本体を支持体の上に載置して流し本体底部の排水口を箱型トラップの上端開口に臨ませると共に、箱型トラップの後側壁の上部に形成された接続口に排水管を接続したことを特徴とするものである。
【０００８】
かかる構成の流しに泥水を流すと、泥水は流し本体底部の排水口から箱型トラップへ流入して、泥などの固形物が箱型トラップの底に沈積し、固形物を含まない水が箱型トラップの後側壁の上部に形成された接続口から排水管を通じて排水される。その場合、箱型トラップの底部の容積は、従来のＵ形トラップの底部の容積に比べると遥かに大きいため、多少の固形物が箱型トラップの底部に沈積しても詰まる恐れはない。そして、箱型トラップの掃除をすることは、流し本体を支持体から持ち上げて取り外し、箱型トラップに手や掃除具を入れて簡単に固形物を除去することができる。尚、排水管を通じて逆流してくる臭気は、箱型トラップに滞溜する水で封止されることは言うまでもない。
【０００９】
また、本発明の請求項２に係る屋外用の流しは、上記請求項１の流しに於て、その支持体の下に物入れを設けたことを特徴とするものである。
【００１０】
この流しのように支持体の下に物入れを設けると、支持体の下側には箱型トラップを収容する凹部が突出しているだけで排水管やＵ形トラップ管が一切配管されていないため、物入れの内部に十分な収納スペースを確保することができる。
【００１１】
【発明の実施の形態】
以下、図面を参照して本発明の具体的な実施形態を詳述する。
【００１２】
図１は本発明の一実施形態に係る屋外用の流しの正面図、図２は同流しの側面図、図３は図１のＡ−Ａ線断面図、図４は同流しの分解斜視図である。
【００１３】
この屋外用の流しは、流し本体１と支持体２と箱型トラップ３とで構成されている。
【００１４】
流し本体１は、その底部の中央付近に排水口１ａを設けたシンクからなるもので、合成樹脂製、陶製、ＢＭＣ製のいずれのものも使用される。
【００１５】
また、支持体２は、流し本体１と略同様の平面形状を有する浅い皿形の支持体であって、その中央部から後端に亘って箱型トラップ３を収容する凹部２ａが形成されており、該凹部２ａの後端は開放されている。更に、この支持体２の周囲には低い立上がり壁２ｂが形成されており、図４に示すように、後側の立上がり壁２ｂには複数の止具挿通孔２ｃが形成されている。そして、この挿通孔２ｃから止具６を外壁面４にねじ込むことによって、支持体２が外壁面４に取付けられている。なお、この支持体２の材質は流し本体１と同様であり、合成樹脂製、陶製、ＢＭＣ製のいずれのものも使用される。
【００１６】
上記支持体２の凹部２ａに収容される箱型トラップ３は合成樹脂製のものであって、図３に示すように、後側壁の上部には接続口３ａが形成されており、この接続口３ａを覆うように隔離板３ｂが後側壁の上端部から内側下方へ突き出して形成されている。そして、この箱型トラップ３の接続口３ａには、外壁面４を貫いて排水管５が接続されている。
【００１７】
このような箱型トラップ３は、その内部に水Ｗが接続口３ａの下端の高さレベルまで溜まり、この水中に上記の隔離壁３ｂが没入するため、接続管５を通じて逆流する臭気は水封され、流し本体１の排水口１ａから臭気が上がることはない。
【００１８】
上記の流し本体１は、その底部の排水口１ａが箱型トラップ２の上端開口に臨むように支持体２の上に取り外し自在に載置されており、位置ずれしないように流し本体１の下端周囲が支持体２の立上がり壁２ｂで囲まれている。
【００１９】
以上のような構成の屋外用の流しは、泥水等を流し本体１に流すと、泥水が流し本体１底部の排水口１ａから箱型トラップ３へ流入して、泥などの固形物Ｓが箱型トラップ３の底に沈積し、固形物Ｓを含まない水Ｗが箱型トラップ３の接続口３ａから排水管５を通じて排水される。この箱型トラップ３の底部の容積は、従来のＵ形トラップ管１０３の底部の容積に比べると遥かに大きいため、多少の固形物Ｓが箱型トラップ３の底部に沈積しても詰まる恐れはない。
【００２０】
そして、この箱型トラップ３の掃除をするときは、流し本体１を支持体２から持ち上げて取り外し、箱型トラップ３に手や掃除具を入れて固形物Ｓを除去することができるので、従来のＵ形トラップ管１０３を接続したものに比べると、清掃作業が遥かに簡単である。尚、排水管５を通じて逆流してくる臭気は、既述したように箱型トラップ３に滞溜する水Ｗで封止されるので、流し本体１の排水口１ａから臭気が上がることはない。
【００２１】
図５は本発明の他の実施形態に係る屋外用の流しの正面図、図６は図５のＢ−Ｂ線断面図である。
【００２２】
この実施形態の屋外用の流しは、前述の支持体２の下に物入れ７を設けたものである。この物入れ７は、四隅の柱７ａと上端の梁７ｂと下端の基礎７ｃで骨組をして側板を張付けたものであって、正面には観音開きの扉７ｄが取付けられており、内部には棚７ｅが設けられている。
【００２３】
この流しの他の構成は、前述した流しと同様であるので、図５，図６において同一部材に同一符号を付し、説明を省略する。
【００２４】
この流しのように、支持体２の下に物入れを設けると、支持体２の下側には箱型トラップを収容する凹部２ａが突出しているだけで排水管やＵ形トラップ管などが一切配管されていないため、物入れ７の内部に十分な収納スペースを確保することができ、ガーデニングの道具などを収納することができる。
【００２５】
【発明の効果】
以上の説明から明らかなように、本発明の屋外用の流しは、泥などの固形物が箱型トラップの底部に多少沈積しても詰まることがなく、流し本体を取り外して箱型トラップの掃除を簡単に行うことができ、下側に物入れを設けても十分な収容スペースを確保できるといった顕著な効果を奏する。
【図面の簡単な説明】
【図１】本発明の一実施形態に係る屋外用の流しの正面図である。
【図２】同流しの側面図である。
【図３】図１のＡ−Ａ線断面図である。図４は同流しの分解斜視図である。
【図４】図４は同流しの分解斜視図である。
【図５】本発明の他の実施形態に係る屋外用の流しの正面図である。
【図６】図５のＢ−Ｂ線断面図である。
【図７】従来の屋外用の流しの正面図である。
【符号の説明】
１  流し本体
１ａ  排水口
２  支持体
２ａ  凹部
３  箱型トラップ
３ａ  接続口
４  外壁面
５  排水管
７  物入れ
【図１】
0004397101.tif 000002
【図２】
0004397101.tif 000003
【図３】
0004397101.tif 000004
【図４】
0004397101.tif 000005
【図５】
0004397101.tif 000006
【図６】
0004397101.tif 000007
【図７】
0004397101.tif 000008